(57)【特許請求の範囲】
【請求項１】
外郭を構成する本体と、前記本体の上部に取り付けられ調理容器が載置されるトッププレートと、前記トッププレートの下方に設けられ高周波電流を供給して誘導磁界を発生させて前記調理容器を誘導加熱する加熱コイルとを備える所定の誘導加熱調理器に使用されるクラッド鍋であって、前記クラッド鍋は、内面側の非磁性材と外面側の磁性材とを接合して２層となるクラッド材をプレス加工して形成されており、前記クラッド鍋の鍋底の径は、前記加熱コイルの径とし、前記クラッド鍋の外形は、前記鍋底から一段上げた位置より略水平方向へ延び、曲面部を経て側面部を形成するようにした誘導加熱調理器用クラッド鍋。
【請求項２】
前記クラッド鍋の前記鍋底に格子状の溝の幅０．２ｍｍ、及び溝の深さ０．２ｍｍとなるパンチング加工を施した請求項１に記載の誘導加熱調理器用クラッド鍋。
【発明の詳細な説明】
【技術分野】
【０００１】
本発明は、誘導加熱調理器に使用される誘導加熱調理器用クラッド鍋に関する。
【背景技術】
【０００２】
近年、火を使わない調理器として誘導加熱調理器が広く普及している。また、鍋も非磁性材（たとえばアルミニウム）に磁性材（たとえばフェライト系ステンレス）を接合して誘導加熱を可能にしたものが多く開発されている。
【特許文献１】特開２００３−１８７９５２号公報
【発明の開示】
【発明が解決しようとする課題】
【０００３】
しかしながら、上記構成のクラッド鍋を誘導加熱調理器で加熱したときに、高火力（たとえば３０００Ｗ）で加熱した際に、しばしばクラッド鍋から金属音が発生するという問題があった。
【０００４】
本発明は、従来のクラッド鍋が有する金属音が発生するという問題を解消するものであり、高火力で加熱しても金属音が発生することのないクラッド鍋を提供することを目的としている。
【課題を解決するための手段】
【０００５】
上記目的を達成するために、本発明の誘導加熱調理器用クラッド鍋は、外郭を構成する本体と、前記本体の上部に取り付けられ調理容器が載置されるトッププレートと、前記トッププレートの下方に設けられ高周波電流を供給して誘導磁界を発生させて前記調理容器を誘導加熱する加熱コイルとを備える所定の誘導加熱調理器に使用されるクラッド鍋であって、前記クラッド鍋は、内面側の非磁性材と外面側の磁性材とを接合して２層となるクラッド材をプレス加工して形成されており、前記クラッド鍋の鍋底の径は、前記加熱コイルの径とし、前記クラッド鍋の外形は、前記鍋底から一段上げた位置より略水平方向へ延び、曲面部を経て側面部を形成するようにしたものである。
【０００６】
このことにより、鍋の固有振動数が上がり、誘導加熱調理器から発生する加熱周波数との共振がなくなり、金属音の発生を防ぐことができる。さらに、一段上げた位置より略水平方向へと延びる形状としているため、鍋の容量を十分に確保することが可能で、かつ外観的にも従来の鍋とほぼ同様にすることができる。
【発明の効果】
【０００７】
本発明の誘導加熱調理器用クラッド鍋によれば、鍋の固有振動数を上げて、誘導加熱調理器から発生する加熱周波数との共振をなくし、金属音の発生を防ぐことができる。
【発明を実施するための最良の形態】
【０００８】
第１の発明は、外郭を構成する本体と、前記本体の上部に取り付けられ調理容器が載置されるトッププレートと、前記トッププレートの下方に設けられ高周波電流が供給されて誘導磁界を発生させて前記調理容器を誘導加熱する加熱コイルとを備える所定の誘導加熱調理器に使用されるクラッド鍋であって、前記クラッド鍋は、内面側の非磁性材と外面側の磁性材を接合して２層となるクラッド材をプレス加工して形成されており、前記クラッド鍋の鍋底の径は、前記加熱コイルの径とし、前記クラッド鍋の外形は、前記鍋底から一段上げた位置より略水平方向へ延び、曲面部を経て側面部を形成するようにしたものである。
【０００９】
このことにより、鍋の固有振動数が上がり、誘導加熱調理器から発生する加熱周波数との共振がなくなり、金属音の発生を防ぐことができる。さらに、一段上げた位置より略水平方向へと延びる形状としているため、鍋の容量を十分に確保することが可能で、かつ外観的にも従来の鍋とほぼ同様にすることができる。
【００１０】
第２の発明は、第１の発明において、前記クラッド鍋の前記鍋底に格子状の溝の幅０．２ｍｍ、及び溝の深さ０．２ｍｍとなるパンチング加工を施したことにより、さらに鍋の固有振動数を上げることができ、誘導加熱調理器から発生する加熱周波数との共振がなくなり、金属音の発生を防ぐことができる。
【００１２】
以下、本発明の実施の形態について、図面を参照しながら説明する。なお、この実施の形態によって本発明が限定されるものではない。
【００１３】
（実施の形態１）
図１に、本発明の第１の実施の形態の誘導加熱調理器の斜視図を示す。
【００１４】
図１に示されるように、本発明にかかる誘導加熱調理器は、外郭を構成する本体１と、本体１の上部に取り付けられクラッド鍋を含む調理用鍋が載置されるトッププレート２を備えている。
【００１５】
図２に、本発明の第１の実施の形態の誘導加熱調理器の分解斜視図を示す。
【００１６】
図２に示されるように、加熱コイル３はトッププレートの下方に設置されている。加熱コイルの径を径Ａとする。
【００１７】
図３に、本発明の第１の実施の形態の誘導加熱調理器用クラッド鍋の断面図を示す。
【００１８】
図３に示されるように、鍋底４の径Ｂは加熱コイルの径Ａと同じとし、そこから上方へ１〜３ｍｍ上がり、その後、略水平方向へ１０〜２０ｍｍ延びる外周の鍋底５を設け、その後、曲面部６を経て、側面部７を形成している。
【００１９】
［誘導加熱調理器の動作］
以上のように構成された誘導加熱調理器と誘導加熱調理器用クラッド鍋について、以下その動作、作用を説明する。
【００２０】
水と食材をクラッド鍋に入れて誘導加熱調理器で調理するとき、加熱コイル３に高周波電力が供給されると、加熱コイル３は誘導磁界を発生し、クラッド鍋の鍋底が発熱し、温度が上昇する。
【００２１】
誘導加熱調理器から発生する高周波は約２１ｋＨｚ〜２３ｋＨｚである。また、鍋の固有周波数は各周波数領域に多数存在するが、２２ｋＨｚ付近に鍋底から鍋側面にかけてねじれる方向に働く固有振動数が存在することが実験、解析により検証されている。この周波数が誘導加熱調理器の加熱コイル３からの高周波と共振することにより、金属音が発生することがある。このとき、鍋の形状を変えて、鍋の固有周波数を下げる、または上げることにより金属音の発生を防ぐことができる。
【００２２】
ここで、鍋の固有振動数を下げるためには、鍋底の強度を弱くすることになる（例えば
、鍋底の径を大きくする）が、鍋底の強度を下げると空焼き等で温度が高くなったときにソリが発生するという問題があるため好ましくない。
【００２３】
反対に鍋の固有振動数を上げるためには、鍋底の強度を強くすることになり、そのためには鍋底の径を小さくするのがもっとも効果的であることが実験、解析結果より示されている。しかしながら鍋底の径を小さくしすぎると、誘導磁界が鍋に効率的に伝わらず、加熱するための入力電力が入りにくい等の問題が発生する。そこで、誘導磁界が鍋に効率的に伝わるに必要な最小径、加熱コイルの径Ａ同じ鍋底４の径Ｂを確保することにより、誘導加熱を効率的に行ない、かつ、鍋の固有振動数を約１ｋＨｚ〜２ｋＨｚずらすことができる。
【００２４】
さらに、上記のように鍋底４の径を決めたのちに、外周の鍋底５の面積を広くとることにより、鍋の容量を確保することがでる。鍋底４の径が一定で外周の鍋底５の径を大きくしても、鍋の固有振動数はほとんど下がらないことが実験、解析により示されており、固有振動数を下げることなく鍋の容量を確保することができる。
【００２５】
上記のように鍋の固有振動数を上げることにより、加熱コイル３からの高周波とクラッド鍋が共振して金属音が発生するのを防ぐことができる。
【００２６】
（実施の形態２）
図４に、本発明の第２の実施の形態の誘導加熱調理器用クラッド鍋の平面図を示す。
【００２７】
図５に、本発明の第２の実施の形態の誘導加熱調理器用クラッド鍋の断面図を示す。
【００２８】
図４に示すように、鍋底４に幅０．２ｍｍ、深さ０．２ｍｍの格子状のパンチング加工８をすることにより、鍋底４の強度を上げて、鍋の固有振動数をさらに５００Ｈｚ〜１ｋＨｚ上げることができる。これにより、鍋の固有振動数を上げ、加熱コイル３からの高周波とクラッド鍋が共振して金属音が発生するのを防ぐことができる。また、パンチング加工部８の形状については、格子状でなく、円形、ハニカム形状でも同様な効果が得られる。
【００２９】
（参考の形態１）
図６に、本発明の第１の参考の形態の誘導加熱調理器用クラッド鍋の断面図を示す。
【００３０】
図７に、本発明の第１の参考の形態の誘導加熱調理器用クラッド鍋の平面図を示す。
【００３１】
図６に示すように、鍋底にφ１６０、深さ１ｍｍの凹形状部９を設けることにより、鍋底４の強度を上げて、鍋の固有振動数をさらに５００Ｈｚ〜１ｋＨｚ上げることができる。これにより、鍋の固有振動数を上げ、加熱コイル３からの高周波とクラッド鍋が共振して金属音が発生するのを防ぐことができる。
【産業上の利用可能性】
【００３２】
本発明にかかる誘導加熱調理器用クラッド鍋は、鍋から発生する金属音を防止することができるため、卓上用の誘導加熱調理器のほか、キッチン等に組み込まれる家庭用の誘導加熱調理器にも有用である。
【図面の簡単な説明】
【００３３】
【図１】本発明の実施の形態１における誘導加熱調理器の斜視図
【図２】本発明の実施の形態１における誘導加熱調理器の分解斜視図
【図３】本発明の実施の形態１におけるクラッド鍋の断面図
【図４】本発明の実施の形態２におけるクラッド鍋の平面図
【図５】本発明の実施の形態２におけるクラッド鍋の断面図
【図６】本発明の参考の形態１におけるクラッド鍋の断面図
【図７】本発明の参考の形態１におけるクラッド鍋の平面図
【符号の説明】
【００３４】
１  本体
２  トッププレート
３  加熱コイル
４  鍋底
５  外周の鍋底
６  曲面部
７  側面部
８  パンチング加工部
９  凹形状部
【図１】
0005369459.tif 000002
【図２】
0005369459.tif 000003
【図３】
0005369459.tif 000004
【図４】
0005369459.tif 000005
【図５】
0005369459.tif 000006
【図６】
0005369459.tif 000007
【図７】
0005369459.tif 000008